(57)【特許請求の範囲】
【請求項１】
傘布に付着した水滴を除去する傘除水機において、
挿入孔に先端から挿入された閉じた状態の傘を収容する箱体と、
前記箱体内の傘の石突側からエアーを噴出し、前記石突側から露先側に向くエアーの流れを発生するエアー噴出部と、
前記箱体の挿入孔側に設けられ、前記傘布のおもて面の水滴の除去を行ったエアーの向きを変えて傘の内側に導くエアー誘導部と、
を有することを特徴とする傘除水機。
【請求項２】
前記エアー誘導部が、
前記箱体の内側の前記挿入孔の近傍に形成され、前記傘布のおもて面の水滴の除去を行った前記エアーの流れに前記傘の露先よりも下流で対向するエアー対向面と、
前記エアー対向面から前記傘の内側に向けて延び、前記エアー対向面と協働して、前記エアーの流れを前記傘の内側に導く誘導面と、
を有することを特徴とする請求項１に記載の傘除水機。
【請求項３】
前記エアー対向面と前記誘導面とが一体的に形成されていることを特徴とする請求項２に記載の傘除水機。
【請求項４】
前記誘導面が立設する位置と、前記傘の中心軸との距離が１００ｍｍ以下であることを特徴とする請求項２又は請求項３に記載の傘除水機。
【請求項５】
前記誘導面に導かれた前記エアーが前記傘布の裏面に吹き付けられることを特徴とする請求項２から請求項４のうちいずれか１項に記載の傘除水機。
【請求項６】
前記誘導面が、前記エアー対向面から前記傘の中心軸に向かって延びていることを特徴とする請求項２から請求項４のうちいずれか１項に記載の傘除水機。
【請求項７】
前記箱体が、本体部と前記本体部に開閉可能に取り付けられた蓋部とを備え、
前記本体部と前記蓋部とは前記挿入孔を含む面で分割されていることを特徴とする請求項１から請求項６のうちいずれか１項に記載の傘除水機。
【請求項８】
前記傘の石突を保持する石突保持部と、
前記石突保持部の斜め上方に位置する前記挿入孔に形成され前記傘の持ち手部又は中棒を載置する載置部をさらに備え、
前記石突保持部と前記載置部とで前記傘を斜めに支持することを特徴とする請求項１から請求項７のうちいずれか１項に記載の傘除水機。
【発明の詳細な説明】
【技術分野】
【０００１】
本発明は傘布に付着した水滴をエアーで除去する傘除水機に関するものである。
【背景技術】
【０００２】
近年、傘布に付着した水滴をエアーで除去する傘除水機が利用されている。雨の日に建物の中に入る際に傘除水機を利用すれば、建物内で傘から水滴が垂れにくくなり、大変便利である。
【０００３】
このような傘除水機は、閉じた傘の傘布おもて面にエアーを吹き付けて水滴を除去する。しかし、傘が閉じた状態において傘布はたるんだ状態となっている。傘布のたるみが重ると、その部分にはエアーが行き届かず水滴が残りがちになってしまう。このため、エアーによる水滴除去の際に、傘布のたるみの重なりを解消する必要がある。
【０００４】
傘布のたるみの重なりの解消について、例えば特許文献１に開示のものは、エアーの送風機能を有する送風機を備え、送風機から送り出されるエアーを２本のダクトで別々に運搬する。一方のダクトで運搬されたエアーは傘布のおもて面に吹き付けられて傘布のおもて面に付着した水滴を除去する。他方のダクトで運搬されたエアーは傘の内部に吹き付けられ、傘布のたるみを広げ、たるみの重なりを解消する。
【０００５】
【特許文献１】特開平４−２８９９１号公報
【発明の開示】
【発明が解決しようとする課題】
【０００６】
しかしながら、このような傘除水機では、エアーの送風系統として、傘布のたるみを広げるための系統と水滴を除去するための系統の２系統が必要となる。したがって、それぞれの系統でノズルやダクトが必要となり、構造が複雑化する。構造の複雑化により製造コストやメンテナンスコストが増大する。
【０００７】
また、傘布のたるみを広げるための系統と水滴を除去するための２系統分のエアーが必要であるため、必要風量が増大し、送風機が大型化する。送風機の大型化により消費電力や送風機の運転音が増大する。
【０００８】
本発明は上述の問題に鑑みてなされたものであり、水滴の除去に用いたエアーを傘布のたるみを広げるために再利用することで、送風系統を複雑化せずに除水性能を向上させ、製造コスト、消費電力、運転騒音を抑制することもできる傘除水機を提供することを目的とする。
【課題を解決するための手段】
【０００９】
上記課題を解決するために本発明に係る傘除水機は、傘布に付着した水滴を除去する傘除水機において、挿入孔に先端から挿入された閉じた状態の傘を収容する箱体と、箱体内の傘の石突側からエアーを噴出し、石突側から露先側に向くエアーの流れを発生するエアー噴出部と、箱体の挿入孔側に設けられ、傘布のおもて面の水滴の除去を行ったエアーの向きを変えて傘の内側に導くエアー誘導部と、を有する。
【発明の効果】
【００１０】
本発明によれば、箱体に設けた誘導部によってエアーの向きを変えて、水滴の除去に用いたエアーを傘布のたるみを広げるために再利用することで、送風系統を複雑化せずに除水性能を向上させることができる。また、送風系統が複雑化しないので、傘除水機の製造コスト、騒音、消費電力等を抑えることができる。
【発明を実施するための最良の形態】
【００１１】
実施の形態１．
図１は、本実施の形態１に係る傘除水機２の外観斜視図である。図２は、傘除水機２の横断面図である。傘除水機２は、箱体４、ブロワ（送風手段）８を有して大略構成されている。
【００１２】
傘除水機２によって水滴を除去される傘２０は、例えば、中棒２０ａ、手元（持ち手部）２０ｂ、石突２０ｃ、親骨２０ｄ、傘布２０ｅを有して構成される。中棒２０ａは、その両端に手元２０ｂと石突２０ｃとが取り付けられて、傘２０の中心に位置する軸部材である。手元２０ｂは傘２０の利用者が持つ持ち手部分である。石突２０ｃは、傘２０の先端に取り付けられて傘布２０ｅをまとめる機能を有する。親骨２０ｄは中棒２０ａの石突２０ｃ近傍に複数本軸支されている。傘布２０ｅは親骨２０ｄの間を覆う布状の部材である。親骨２０ｄの先端（自由端）側を露先２０ｆという。なお、傘２０の開閉機構等についての詳細な説明は省略する。
【００１３】
本願において、傘布２０ｅのおもて面とは、傘２０を差した場合に雨を受ける面のこと、傘２０を閉じた状態においては外側を向く面のことをいう。傘布２０ｅの裏面とは、おもて面とは反対側の面のことをいう。また傘２０の内側とは、閉じた状態の傘２０において傘布２０ｅに囲まれた領域のことをいう。
【００１４】
箱体４は、傘除水機２の全体を覆う筐体としての機能を有する。箱体４は、薄板上の板金等で構成され、本体（本体部）１０と蓋（蓋部）１２とを備える。本体１０には、後述する除水室１４から傘２０を取り出すための取出し開口１１が形成されている。取出し開口１１は、傘２０を除水室１４から取出す際に露先２０ｆ等が引っかからないように、露先２０ｆの広がりより大きく開口されている。
【００１５】
蓋１２は、取出し開口１１を覆うように本体１０に取り付けられている。本体１０と蓋１２とはヒンジ２１で開閉可能に連結されている。本体１０と蓋１２の境界には本体側凹部１０ａと蓋側凹部１２ａとがそれぞれ形成されており、本体側凹部１０ａと蓋側凹部１２ａとで、傘２０を先端（石突２０ｃ）側から挿入可能な挿入孔２２を構成する。本体１０と蓋１２とは、挿入孔２２を含む面で分割可能となっている。挿入孔２２は、傘２０を挿入することができればよく、取出し開口１１よりも小さく形成されている。また、挿入孔２２は斜め上方を向く開口となっており、傘２０を斜めに挿入できるようになっている。
【００１６】
本体１０には、後に詳説するブロワ８を運転・停止するための運転スイッチ（図示せず）、停止スイッチ（図示せず）が設けられている。本体１０の内部は、隔壁１０ｂで区切られて、除水室１４、排水室１６、送気室１８を有して構成されている。
【００１７】
除水室１４は、挿入孔２２に先端から挿入された閉じた状態の傘２０を収容するための空間である。除水室１４の内部であって、挿入孔２２の斜め下方には石突入れ（石突保持部）２４が設けられている。石突入れ２４は、挿入孔２２から挿入された傘２０の石突２０ｃを収容して回転可能に保持する。
【００１８】
挿入孔２２を構成する本体側凹部１０ａの下端には切込み（載置部）１０ｃが形成されている。切込み１０ｃには、挿入孔２２に挿入された傘２０の手元２０ｂが回転可能に載置される。切込み１０ｃと石突入れ２４とで、傘２０を斜めに支持するとともに除水室１４内における傘２０を水滴の除去に最適な位置に位置決めする機能を有する。
【００１９】
傘２０が斜めに挿入されるので、石突２０ｃが石突入れ２４に保持された後、利用者が手元２０ｂから手を離せば、本体側凹部１０ａの下端に形成された切込み１０ｃに手元２０ｂが自然に載置され、斜めに支持される。したがって、特別な操作をすることなく簡単に水滴の除去に適した位置に傘２０を置くことができる。なお、本実施の形態１では、手元２０ｂを切込み１０ｃで支持しているが、中棒２０ａを切込み１０ｃで支持してもよい。
【００２０】
除水室１４と送気室１８との間の隔壁１０ｂにはノズル（エアー噴出部）２８が形成されている。ノズル２８は除水室１４と送気室１８とを連通させる楕円形の開口を構成する。送気室１８内のブロワ８（後に詳説）から吐出されたエアーがノズル２８を介して除水室１４内に噴出されるようになっている。
【００２１】
図３は、ノズル２８から噴出されたエアーの流れを説明するための図である。ノズル２８はブロワ８から吐出されたエアーを傘２０の石突２０ｃ側から噴出し、石突２０ｃ側から露先２０ｆ側に向くエアーの流れ（矢印Ｘの流れ）を発生させる。ノズル２８から噴出されたエアーは、傘布２０ｅのおもて面に付着した水滴を吹き飛ばしながら（除去しながら）石突２０ｃ側から露先２０ｆ側に向かって流れる。
【００２２】
本体１０のうち、挿入孔２２側の天板１０ｄの内側面（エアー対向面）（エアー誘導部）１０ｅはエアー対向面としての機能を有する。内側面１０ｅは、傘２０の露先２０ｆよりも下流かつ本体側凹部１０ａの近傍に位置する面である。内側面１０ｅは、傘布２０ｅのおもて面に付着した水滴を吹き飛ばした後のエアーの流れに対向する。内側面１０ｅに衝突したエアーは衝突点を中心に内側面１０ｅに沿って放射状に拡散する。拡散した流れの一部（矢印Ｙの流れ）は、傘２０の中心軸２０ｇに向かって流れる。
【００２３】
図４に示すように内側面１０ｅには、風向変更板３０が立設されている。風向変更板３０は、除水室１４の略幅全域にわたる大きさで形成されている。風向変更板３０のうち矢印Ｙの流れが衝突する誘導面（エアー誘導部）３０ａは、内側面１０ｅから傘２０の内側に向けて延びている。したがって、傘２０の中心軸２０ｇに向かうエアーは風向変更板３０の誘導面３０ａによって向きを変えられて、傘２０の内側に導かれる（矢印Ｚの流れ）。つまり、誘導面３０ａは内側面１０ｅと協働して、傘布２０ｅに付着した水滴を除去したエアーの流れを傘２０の内側に導く。
【００２４】
なお、本実施の形態１において風向変更板３０の立設位置（内側面１０ｅと誘導面３０ａとの交点）と傘２０の中心軸２０ｇとの距離は１００ｍｍ以下となっている。一般的に、中心軸から露先までの距離は１００ｍｍ以上である傘が多い。したがって、風向変更板３０の立設位置が、中心軸２０ｇから１００ｍｍとなる地点から中棒２０ａとの間であれば、傘２０の種類にかかわらずほとんどの傘２０の内側にエアーを導くことができる。また、本実施の形態１において誘導面３０ａは中心軸２０ｇと略平行になっており、風向変更板３０の立設位置と相まって、より確実に傘２０の内側にエアーを導くことができる。
【００２５】
排水室１６は、エアーによって吹き飛ばされた水滴を一時的に溜めておく空間である。排水室１６内には排水タンク３２が配置されている。除水室１４と排水室１６との間の隔壁１０ｂには排水口１０ｆが形成されており、除水室１４と排水室１６との間の隔壁１０ｂは排水口１０ｆに向けて傾斜している。ノズル２８から噴出されたエアーによって傘布２０ｅから吹き飛ばされた水滴は隔壁１０ｂ上に落下し、排水口１０ｆに向けて流下する。排水口１０ｆに向けて流下した水滴は、排水口１０ｆから排水タンク３２に向けて落下する。排水タンク３２に水が溜まった場合には、排水タンク３２を取り出して溜まった水を捨てることができる。本実施の形態１においては、傘布２０ｅから吹き飛ばされた水滴を排水タンク３２に一旦溜めているが、排水室１６に配管を接続し、水滴を溜めることなく排水できるようにしてもよい。排水タンク３２に溜まった水をわざわざ捨てる必要がなくなり便利である。
【００２６】
図５は、図２のＡ−Ａ線に沿う矢視断面図である。送気室１８は、エアーを取り込むとともに、取り込んだエアーをノズル２８から噴出させるための空間である。送気室１８は吸込風路３４とブロワ収容室３６とを有して構成されている。吸込風路３４とブロワ収容室３６との間は間仕切り１８ａで隔てられている。
【００２７】
吸込風路３４にはエアー取込口３８が形成されている。エアー取込口３８を介して吸込風路３４と傘除水機２の外部とがつながっている。ブロワ８が運転状態となると、ブロワ８の作用により吸込風路３４内が負圧となり、エアー取込口３８から外気（エアー）が取り込まれる。エアー取込口３８はエアーフィルタ（集塵手段）４０で覆われている。エアーフィルタ４０はエアー取込口３８から取り込まれるエアーからゴミ等の異物を取り除き、傘除水機２内部の汚れや機器の故障を防止する。吸込風路３４の内側には吸音材４３が貼り付けられている。吸音材４３は、吸込風路３４を通過するエアーによって生じる騒音が外部に漏れるのを抑える。
【００２８】
ブロワ収容室３６は、ブロワ８を収容し、エアー取込口３８から取り込まれたエアーをノズル２８から噴出させる。間仕切り１８ａには連通口１８ｂが形成されている。連通口１８ｂを介してブロワ収容室３６と吸込風路３４とがつながっている。
【００２９】
ブロワ８は、パッキン４４と防振部材４６とによって挟持されてブロワ収容室３６内に収容されている。ブロワ８の吸込口４２が連通口１８ｂに対してパッキン４４を介して接続され、吸込口４２の反対側が防振部材４６を介してブロワ収容室３６の内壁に固定されている。吸込口４２がパッキン４４を介して連通口１８ｂに接続されているので、吸込口４２と連通口１８ｂとの隙間からのエアー漏れを低減することができる。また、ブロワ８の運転による振動を、パッキン４４及び防振部材４６によって吸収するので、本体１０に振動が伝わるのを防止し、騒音の発生を抑制することができる。
【００３０】
ブロワ８は、利用者によって運転スイッチが押されると運転状態となる。ブロワ８が運転状態となると、ブロワ８の内部に保持されたファン（図示せず）が回転し、吸込口４２からエアーが吸い込まれる。吸込口４２から吸込まれたエアーはブロワ収容室３６に開放された吐出口（図示せず）からブロワ収容室３６内に吐出される。ブロワ８から吐出されるエアーの量に比べてノズル２８の開口面積が狭いためからノズル２８からエアーが勢いよく噴出される。
【００３１】
次に、傘除水機２の動作手順について説明する。傘除水機２の利用者が、本体１０に形成された挿入孔２２に閉じた状態の傘２０を挿入し、傘２０の石突２０ｃを石突入れ２４に収めるとともに、手元２０ｂを切込み１０ｃに載置する。石突入れ２４と切込み１０ｃとで除水室１４内の傘２０が位置決めされ斜めに支持される。利用者が運転スイッチを押すとブロワ８が運転状態となる。ブロワ８が運転状態となると、吸込口４２及び吸込風路３４を介して吸込口４２からエアーが吸込まれる。吸込口４２から吸込まれたエアーは、吐出口からブロワ収容室３６に吐出される。吐出口から吐出されたエアーは、隔壁１０ｂに形成されたノズル２８から除水室１４に噴出される。
【００３２】
ノズル２８から除水室１４に噴出されたエアーは傘２０の石突２０ｃ側から露先２０ｆ側に向くエアーの流れ（矢印Ｘの流れ）を形成する。ノズル２８から噴出されたエアーは、傘２０の石突２０ｃから露先２０ｆに至る過程で、傘布２０ｅのおもて面に付着した水滴を吹き飛ばす。
【００３３】
傘２０の石突２０ｃから露先２０ｆに至る過程で、傘布２０ｅのおもて面に付着した水滴を吹き飛ばした（除去した）エアーは露先２０ｆよりも下流で本体１０の内側面１０ｅに衝突し、拡散される。内側面１０ｅに衝突して拡散したエアーのうち、傘２０の中心軸２０ｇに向かうエアー（矢印Ｙの流れ）は風向変更板３０の誘導面３０ａに衝突し、傘２０の内側に導かれる（矢印Ｚの流れ）。傘２０の内側に導かれたエアーにより、傘布２０ｅのたるみが広がる。傘布２０ｅのたるみが広がることで、その重なりも解消される。したがって、ノズル２８から噴出されたエアーが傘２０の石突２０ｃから露先２０ｆに至る過程で、傘布２０ｅに満遍なく当たりやすくなり、水滴の除去性能が向上する。
【００３４】
挿入孔２２から箱体４の外部に突出している傘２０の手元２０ｂを回転させることで、傘布２０ｅ全体に付着した水滴をエアーで吹き飛ばすことができる。切込み１０ｃと石突入れ２４とで傘２０を位置決めして支持しているので、傘２０を回転させても傘２０の中心軸２０ｇの方向等はほとんど変化せず、良好な除水生能を維持できる。水滴の除去が終了したら、停止スイッチを押してブロワ８を停止する。そして、蓋１２を開けて傘２０を取り出す。蓋１２を開けることで、露先２０ｆの広がりよりも大きく開口された取出し開口１１から傘２０を取出すので、傘２０を取出す際に露先２０ｆ等が引っかかりにくく、傘２０を簡単に取り出すことができる。（図６も参照）
【００３５】
なお、エアーが内側面１０ｅに衝突する際、又は、誘導面３０ａにより流れの向きを変更される際に、傘布２０ｅから除去された水滴はエアーから離脱するため、傘２０の内側に向かうエアーに水滴はほとんど含まれない。
【００３６】
また、傘２０の内側に導かれるエアーの風速や流れの向きは、傘布２０ｅの状態等により時系列的に変化する。傘２０の内側に導かれるエアーの時系列的な変化により、傘布２０ｅが振動する（はためく）。この振動により傘布２０ｅのおもて面から水滴が脱落するので除去性能を更に向上させることができる。
【００３７】
以上の構成によれば、傘布２０ｅのおもて面から水滴を除去するエアーの流れと、傘布２０ｅのたるみを広げるエアーの流れを発生させるために別々のノズルや風路を設ける必要がなくなり、構造の簡単化、低コスト化を図ることができる。また、傘布２０ｅの水滴を除去した後のエアーをそのまま傘布２０ｅのたるみの重なり解消に用いるため、必要な風量が小さくなり、省電力化、低騒音化を図ることができる。
【００３８】
なお、本実施の形態１では、風向変更板３０を除水室１４の略幅全域にわたる大きさで形成しているが、これより小さく形成しても構わない。例えば、図７のように、風向変更板３０を小さく形成した場合でも、内側面１０ｅに衝突して傘２０の中棒２０ｅに向かうエアーの流れ（矢印Ｙの流れ）を傘２０の内側に導ければ（矢印Ｚの流れ）よい。風向変更板３０を小さく形成することで、材料費を削減することができる。
【００３９】
また、本実施の形態１では、本体１０にエアー誘導部を設けているが、これに限られず、別体の部材として露先２０ｆよりも下流にエアー誘導部を設けても構わない。
【００４０】
実施の形態２．
図８は、本発明の実施の形態２に係る風向変更板３０を示す図である。実施の形態１のものと同じ部分については、実施の形態１のものと同じ符号を用い、それらについての説明は省略する。本実施の形態２に係る風向変更板３０は、その誘導面３０ａが内側面１０ｅから傘２０の中心軸２０ｇに向けて延びるように立設されている。したがって、傘２０を除水室１４から取り出す際に、傘布２０ｅが風向変更板３０に引っかかる事が減り、スムーズな傘の取出しを実現できる。
【００４１】
実施の形態３．
図９は、本発明の実施の形態３に係る風向変更板３０を示す図である。実施の形態１のものと同じ部分については、実施の形態１のものと同じ符号を用い、それらについての説明は省略する。本実施の形態３に係る風向変更板３０は、その誘導面３０ａが内側面１０ｅから傘布２０ｅの裏面に向けて延びるように立設されている。したがって、傘２０の内側に導かれるエアーの流れ（矢印Ｚの流れ）が直接傘布２０ｅの裏面に当たり、より強力に傘布２０ｅのたるみを広げ、その重なりを解消する。したがって、傘布２０ｅのおもて面により満遍なくエアーが当たり、除水性能が向上する。
【００４２】
実施の形態４．
図１０は、本発明の実施の形態４に係る天板１０ｄを示す図である。実施の形態１のものと同じ部分については、実施の形態１のものと同じ符号を用い、それらについての説明は省略する。天板１０ｄには段差部９が形成されている。本変形例３においては、段差部９の底面（エアー誘導部）９ａがエアー対向面としての機能を発揮し、段差部９の壁面（エアー誘導部）９ｂが誘導面としての機能を発揮する。天板１０ｄに段差部９を形成することで、対向面としての底面９ａと誘導面としての壁面９ｂを一体的に形成でき、部品点数を削減することができる。また、折り曲げ加工等により天板１０ｄに段差部９を形成すれば、一括で底面９ａと壁面９ｂを形成でき、製造工数の削減を図ることができる。
【００４３】
実施の形態５．
図１１は、本発明の実施の形態５に係る天板１０ｄを示す図である。実施の形態１のものと同じ部分については、実施の形態１のものと同じ符号を用い、それらについての説明は省略する。天板１０ｄには凹部１３が形成されている。本変形例３においては、凹部１３の底面（エアー誘導部）１３ａがエアー対向面としての機能を発揮し、凹部１３の壁面（エアー誘導部）１３ｂが誘導面としての機能を発揮する。天板１０ｄに凹部１３を形成することで、対向面としての底面１３ａと誘導面としての壁面１３ｂを一体的に形成でき、部品点数を削減することができる。また、プレス加工等により天板１０ｄに凹部１３を形成すれば、一括で底面１３ａと壁面１３ｂを形成でき、製造工数の削減を図ることができる。
【図面の簡単な説明】
【００４４】
【図１】本発明の実施の形態１に係る傘除水機の外観斜視図である。
【図２】傘除水機の横断面図である。
【図３】エアーの流れを説明するための部分拡大断面図である。
【図４】風向変更板の形状を示す図である。
【図５】図２のＡ−Ａ線に沿う矢視断面図である。
【図６】蓋が開いた状態を示す傘除水機の横断面図である。
【図７】風向変更板の別の形状を示した斜視図である。
【図８】本発明の実施の形態２に係る傘除水機の部分拡大断面図である。
【図９】本発明の実施の形態３に係る傘除水機の部分拡大断面図である。
【図１０】本発明の実施の形態４に係る傘除水機の部分拡大断面図である。
【図１１】本発明の実施の形態５に係る傘除水機の部分拡大断面図である。
【符号の説明】
【００４５】
Ｘ，Ｙ，Ｚ  矢印
２  傘除水機
４  箱体
８  ブロワ（送風手段）
９  段差部
９ａ  底面（エアー対向面）
９ｂ  壁面（誘導面）
１０  本体（本体部）
１０ａ  本体側凹部
１０ｂ  隔壁
１０ｃ  切込み
１０ｄ  天板
１０ｅ  内側面（エアー対向面）（エアー誘導部）
１０ｆ  排水口
１１  取出し開口
１２  蓋（蓋部）
１２ａ  蓋側凹部
１３  凹部
１３ａ  底面（エアー対向面）
１３ｂ  壁面（誘導面）
１４  除水室
１６  排水室
１８  送気室
１８ａ  間仕切り
１８ｂ  連通口
２０  傘
２０ａ  中棒
２０ｂ  手元（持ち手部）
２０ｃ  石突
２０ｄ  親骨
２０ｅ  傘布
２０ｆ  露先
２０ｇ  中心軸
２１  ヒンジ
２２  挿入孔
２４  石突入れ（石突保持部）
２８  ノズル（エアー噴出部）
３０  風向変更板
３０ａ  誘導面（エアー誘導部）
３２  排水タンク
３４  吸込風路
３６  ブロワ収容室
３８  エアー取込口
４０  エアーフィルタ（集塵手段）
４２  吸込口
４３  吸音材
４４  パッキン
４６  防振部材
【図１】
0005063454.tif 000002
【図２】
0005063454.tif 000003
【図３】
0005063454.tif 000004
【図４】
0005063454.tif 000005
【図５】
0005063454.tif 000006
【図６】
0005063454.tif 000007
【図７】
0005063454.tif 000008
【図８】
0005063454.tif 000009
【図９】
0005063454.tif 000010
【図１０】
0005063454.tif 000011
【図１１】
0005063454.tif 000012